(57)【特許請求の範囲】
【請求項１】
一側面に開口する収納空間部が形成されたベッド本体と、
上記収納空間部に出し入れ可能に設けられ収納時に上記収納空間部の開口を密閉する引出しと、
乾燥剤及びこの乾燥剤を再生する再生手段を有し、この乾燥剤によって上記収納空間部の除湿を行なうとともに、除湿を行なうことで吸湿した乾燥剤を上記再生手段によって再生するときに生じる水蒸気を上記収納空間部の外部に放出するよう上記ベッド本体に設けられた除湿ユニットを具備し、
上記ベッド本体はヘッドボードを有し、このヘッドボードの前面の幅方向一端には側板の一端が連結され、この側板の他端には端板が連結されていて、
上記ヘッドボードと端板との幅方向一端側の間には、ヘッドボードの幅寸法の約半分の奥行き寸法であるとともに内部を収納空間部として一側面が開口し、この開口から引出しが出し入れ可能に収容された箱状体がその開口面をベッド本体の幅方向外側に向けて設けられており、
上記箱状体の後板に上記箱状体の収納空間部を除湿する上記除湿ユニットが設けられ、上記端板または側板には上記除湿ユニットからの水蒸気をベッド本体の外部に排出するベンチレータが設けられていることを特徴とするベッド装置。
【請求項２】
上記ベッド本体の下端には、上記除湿ユニットの乾燥剤を再生するときに生じる水蒸気をベッド本体の外部に排出するための隙間が形成されていることを特徴とする請求項１記載のベッド装置。
【発明の詳細な説明】
【０００１】
【発明の属する技術分野】
この発明はベッド本体に形成された収納空間部に引出しを出し入れすることができるベッド装置に関する。
【０００２】
【従来の技術】
一般に、ベッド装置はベッド本体を有し、このベッド本体の上面にはマットレスが載置される。上記ベッド本体を有効利用するため、このベッド本体に収納空間部を形成し、この収納空間部に引出しを出し入れ可能に設けるようにしたベッド装置が知られている。
【０００３】
上記引出しは主に衣類の収納部として利用されることが多い。しかしながら、ベッド本体に形成された収納空間部は、ベッド本体の上面に載置されたマットレスを通じてこのマットレスの利用者の湿気がこもり易く、また室内は床面に近い方が湿度が高いから、室内の湿度が上昇すると引き出しに収納された衣類は湿り易く、それによってカビやダニが発生し易いので、衣類が汚損し、虫喰い状態になることもあり、また塵埃が内部に入り易いということがある。
【０００４】
【発明が解決しようとする課題】
このように、ベッド本体に収納空間部を形成し、その収納空間部に衣類などの物品を収納するようにした場合などには、収納空間部に湿気がこもり、この収納空間部に収納された衣類などの物品にカビやダニが発生し易いということがあった。
【０００５】
この発明は、ベッド本体の収納空間部の湿気を少なくし、その収納空間部に収納された衣類などの物品にカビやダニが発生するのを防止し、併せて塵埃の侵入防止を図るようにしたベッド装置を提供することにある。
【０００７】
【課題を解決するための手段】
請求項１の発明は、一側面に開口する収納空間部が形成されたベッド本体と、
上記収納空間部に出し入れ可能に設けられ収納時に上記収納空間部の開口を密閉する引出しと、
乾燥剤及びこの乾燥剤を再生する再生手段を有し、この乾燥剤によって上記収納空間部の除湿を行なうとともに、除湿を行なうことで吸湿した乾燥剤を上記再生手段によって再生するときに生じる水蒸気を上記収納空間部の外部に放出するよう上記ベッド本体に設けられた除湿ユニットを具備し、
上記ベッド本体はヘッドボードを有し、このヘッドボードの前面の幅方向一端には側板の一端が連結され、この側板の他端には端板が連結されていて、
上記ヘッドボードと端板との幅方向一端側の間には、ヘッドボードの幅寸法の約半分の奥行き寸法であるとともに内部を収納空間部として一側面が開口し、この開口から引出しが出し入れ可能に収容された箱状体がその開口面をベッド本体の幅方向外側に向けて設けられており、
上記箱状体の後板に上記箱状体の収納空間部を除湿する上記除湿ユニットが設けられ、上記端板または側板には上記除湿ユニットからの水蒸気をベッド本体の外部に排出するベンチレータが設けられていることを特徴とするベッド装置にある。
【００１１】
請求項２の発明は、上記ベッド本体の下端には、上記除湿ユニットの乾燥剤を再生するときに生じる水蒸気をベッド本体の外部に排出するための隙間が形成されていることを特徴とする請求項１記載のベッド装置にある。
【００１２】
この発明によれば、ベッド本体に、収納空間部の除湿を行なう除湿ユニットを設けたから、上記収納空間部に収納される物品にカビが発生するのを防止することが可能となる。
【００１３】
【発明の実施の形態】
以下、図面を参照しながらこの発明の実施の形態を説明する。
【００１４】
図１乃至図４はこの発明の一実施の形態を示し、図１に示すベッド装置はベッド本体１を備えている。このベッド本体１は、ヘッドボード２を有し、このヘッドボード２の前面の幅方向一端には側板３の長手方向一端が連結具４によって着脱可能に連結されている。上記側板３の長手方向他端には、上記ヘッドボード２とほぼ同じ幅寸法の端板５の幅方向一端が図示しない連結具によって着脱可能に連結されている。
【００１５】
上記ヘッドボード２と端板５との間の幅方向一端側には、ヘッドボード２の約半分の幅寸法で、一側面が開口し、内部を収納空間部６とした箱状体７がその開口面をベッド本体１の幅方向の外側に向けて設けられている。図３に示すように、上記箱状体７を形成する底板８、天板９、後板１０及び端板１１の内面にはポリエステル化粧板などの防湿部材としての防湿板１２が設けられている。なお、端板１１に設けられる防湿板１２は図示されていない。
【００１６】
上記収納空間部６は、箱状体７の長手方向に所定間隔で設けられた２枚の仕切り板１３によって３つの収納部６ａに隔別されている。収納部６の奥行き方向に沿う各仕切り板１３の幅寸法は、箱状体７の奥行き寸法よりも短く設定され、幅方向の前端面を箱状体の７の開口面に一致させて設けられている。
【００１７】
それによって、各仕切り板１３の幅方向他端と、箱状体７の後板１１の内面との間には隙間１４が形成され、その隙間１４によって３つの収納部６ａは上記仕切り板１３によって分断されることなく連通している。
【００１８】
上記収納空間部６の各収納部６ａには引出し１７が出し入れ可能に収納されている。この引出し１７は上面が開放した箱形状に形成されていて、両側外面にはガイド部材１８（図１に示す）が設けられている。このガイド部材１８が上記仕切り板１３の両側面及び箱状体７の端板１１の内面にそれぞれ設けられたレール部材１９（図３に示す）に移動可能に係合している。それによって、各引出し１７は上記レール部材１９にガイドされて円滑に出し入れすることができるようになっている。
【００１９】
上記レール部材１９の奥側の端部には凹部１９ａが形成されている。引出し１７を閉じると、引出し１７側のガイド部材１８に設けられた図示しないローラが上記凹部１９ａに係合する。それによって、引出し１７は収納部６ａに収納される方向に付勢され、シール部材２１が箱状体７の一側面に確実に密着するから、仕切り板１３の収納空間部６を密閉できる。しかも、引出し７は不用意に抜け出す方向へスライドするのが防止されるから、そのことによっても収納空間部６の密閉状態を確保することができる。
【００２０】
図３に示すように、上記引出し１７の前板１７ａの内面周辺部にはシール部材２１が設けられている。引出し１７を収納空間部６に収納すると、上記シール部材２１が箱状体７の開口した一側面の周辺部に密着する。それによって、上記箱状体７の収納空間部６は密閉されるようになっている。
【００２１】
上記ベッド本体１の幅方向他端側、つまり箱状体７が設けられた幅方向一端側と反対側の部分の上面は蓋板２０によって閉塞されている。この蓋板２０は、上記側板３の内面と、上記箱状体７の後板１０の外面とにそれぞれ設けられた受け桟２３に幅方向両端部を係合させて設けられている。
【００２２】
なお、ベッド本体１の側板３を除く下端面には脚部材２３ａが設けられている。この脚部材２３ａによって側板３及び端板５の下端面と床面（図示せず）との間に隙間が形成され、この隙間は上記ベッド本体１の閉塞された幅方向他端側の空間部を外部に連通させている。つまり、脚部材２３ａは、ベッド本体１の下端面に、このベッド本体の内部と外部とを連通する隙間を形成している。
【００２３】
さらに、上記ベッド本体１の端板５若しくは側板３、この実施の形態では端板５に、上記ベッド本体１の幅方向他端側の空間部内を外部に連通させるベンチレータ２４が設けられている。
【００２４】
図３に示すように、上記箱状体７の後板１０の長手方向ほぼ中央部分には開口部２５が形成されている。この開口部２５には除湿ユニット２６が設けられている。この除湿ユニット２６は図４に示すように筐体２７を有する。この筐体２７内には、ほぼへの字状に屈曲された上部仕切り板２８と下部仕切り板２９とが設けられている。これら仕切り板２８，２９によって上記筐体２７内には除湿空間部３１が区画形成されている。
【００２５】
上記筐体２７の前面には、上部仕切り板２８よりも上方と、下部仕切り板２９よりも下方にそれぞれ循環口３３が形成されている。各仕切り板２８，２９には筐体２７の前面寄りの一端部にそれぞれ導入口３４が形成され、他端部に導出口３５が形成されている。上記筐体２７の背面の上部仕切り板２８の上方と、下部仕切り板２９の下方とにはそれぞれ排出口３６が形成されている。
【００２６】
上記上部仕切り板２８の上方と、下部仕切り板２９の下方にはそれぞれ切換え板３７が回動可能に設けられている。各切換え板３７はばね３８によって矢印Ｘ方向に付勢されている。各切換え板３７が図４に実線で示す状態から鎖線で示すようにばね３８の付勢力によってＸ方向に回動すると、切換え板３７の一端部に対向する導入口３４が開放され、他端部に対向する導出口３５が閉塞される。
【００２７】
各切換え板３７の他端部間には、形状記憶合金によって作られたコイル状の作動部材４１が張設されている。除湿空間部３１の作動部材４１に対向する部位にはたとえばメッシュや穴あき板などの通気性を備えた部材によって形成された容器４２が設けられている。この容器４２にはシリカゲルやゼオライト（商標名）などの乾燥剤４３が収容されている。上記容器４２内には、吸湿した乾燥剤４３を加熱乾燥させる、乾燥剤４３の再生手段としてのヒータ４４が設けられている。
【００２８】
上記ヒータ４４によって乾燥剤４３を加熱乾燥させる際、その熱で上記作動部材４１が温度上昇する。作動部材４１は所定の温度に上昇すると、記憶された形状に変形する。つまり、作動部材４１は伸張した状態から図４に示すように収縮変形する。それによって、切換え板３７がばね３８の付勢力に抗して矢印Ｘと逆方向に回動するから、各仕切り板２８，２９に形成された導出口３５が開放され、導入口３４が閉塞される。
【００２９】
上記筐体２７の背面側には連通口４５が形成されたカバー４６が設けられている。このカバー４６の内部には液密構造の電気部品箱４７が設けられている。この電気部品箱４７には図示しないタイマが設けられ、このタイマを介して上記ヒータ４４に給電できるようになっている。タイマはヒータ４４への給電時間を制御する。たとえば、タイマは６時間ごとに３０分間、上記ヒータ４４へ通電するようになっている。
【００３０】
そして、上記除湿ユニット２６は、筐体２７を収納空間部６側に向けて上記箱状体７の後板１０に形成された開口部２５に取付けられている。
【００３１】
なお、図示しないが、ベッド本体１の上面、つまり、箱状体７の天板９と蓋板２０とがなす平面に上記マットレスが載置される。
【００３２】
上記構成のベッド装置によれば、箱状体７の後板１０には開口部２５が形成され、この開口部２５には除湿ユニット２６が設けられている。この除湿ユニット２６は筐体２７に穿設された循環口３３を引出し１７に設けられたベッド本体１の収納空間部６に対向させている。
【００３３】
一方、除湿ユニット２６の作動部材４１は、室温において伸張しているから、一対の切換え板３７はばね３８の付勢力によって図４に鎖線で示すように矢印Ｘ方向に回動している。
【００３４】
そのため、収納空間部６の湿気を含んだ空気は、自然対流によって上記循環口３３から筐体２７内に流入し、各仕切り板２８，２９に形成された導入口３４から除湿空間部３１に導入され、ここで乾燥剤４３によって除湿されることになる。したがって、引出し１７が設けられた収納空間部６の湿度が上昇するのが抑制されるから、引出し１７に収容された衣類などの物品にカビが生じるのを防止することができる。
【００３５】
上記箱状体７の収納空間部６は密閉され、しかも箱状体７を形成する板材の内面には防湿シート１２が設けられている。そのため、箱状体７内の収納空間部６に外部からの湿気が入り込み難いから、そのそことによっても、引出し１７に収容された衣類などにカビが発生するのを防止することができる。
【００３６】
乾燥剤４３による収納空間部６の乾燥作用が所定時間行われ、電気部品箱４７に設けられたタイマの設定時間が経過すると、ヒータ４４への通電が開始されて乾燥剤４３の再生が行われる。
【００３７】
すなわち、ヒータ４４に通電されることで、乾燥剤４３が所定温度に加熱されると、その熱で乾燥剤４３に含まれた湿気が蒸発する。それと同時に、ヒータ４４の熱によって形状記憶合金からなる作動部材４１が加熱され、この作動部材４１は記憶された形状に変形する。
【００３８】
作動部材４１が変形すると、一対の切換え板３７をばね３８の付勢力に抗して図４に鎖線で示す状態から実線で示す状態に回動させるから、仕切り板２８，２９に形成された導入口３４が閉じられ、導出口３５が開放される。
【００３９】
それによって、乾燥剤４３から蒸発した水蒸気が除湿空間部３１の内部から導出口３５及び排出口３６を通ってカバー４６内に流入する。このカバー４６には連通口４５が形成されているから、乾燥剤４３からの水蒸気は上記連通口４５を通って収納空間部６の外部、つまりベッド本体１の幅方向他端側の空間部に排出され、ここからベンチレータ２４や脚部材２３ａによってベッド本体１の下端面と床面との間に形成された隙間などを通ってベッド本体１の外部に流出する。つまり、乾燥剤４３の再生に際し、乾燥剤４３から蒸発した湿気を引出し１７が収容された収納空間部６からベッド本体１の外部に確実に排出することができる。
【００４０】
図５と図６はこの発明の他の実施の形態を示す。この実施の形態は、ベッド本体１内の幅方向中央部に長手方向全長にわたる仕切り板５０が設けられている。この仕切り板５１はベッド本体１内を第１の収納空間部５１と第２の収納空間部５２とに隔別している。
【００４１】
上記第１の収納空間部５１には複数の引出し１７が出し入れ可能に設けられている。引出し１７を第１の収納空間部５１に収納したとき、この第１の収納空間部５１の開口は、引出し１７の前板１７ａの内面周辺部に設けられた第１のシール部材２１によって密閉されるようになっている。
【００４２】
上記第２の収納空間部５２は、ベッド本体１の側板を兼ねる開閉板５３によって開閉可能となっている。この開閉板５３の内面の周辺部には、開閉板５３を閉じたときに、第２の収納空間部５２の開口を密閉する第２のシール部材５４が設けられている。
【００４３】
上記ベッド本体１の端板５には上記第１の収納空間部５１と第２の収納空間部５２とに連通する開口部（図示せず）が形成されており、この開口部に上記一実施の形態と同様の構成の除湿ユニット２６が設けられている。
【００４４】
したがって、上記除湿ユニット２６によって上記第１の収納空間部５１と第２の収納空間部５２とを除湿することができるから、各収納空間部５１，５２に収納される衣類などの物品にカビが発生するのを防止することができる。
【００４５】
【発明の効果】
以上のようにこの発明によれば、ベッド本体に収納空間部を形成し、この収納空間部を除湿ユニットによって除湿することができるようにした。
【００４６】
そのため、ベッド本体の収納空間部に収納される衣類などの物品にカビが発生するのを防止することができる。
【図面の簡単な説明】
【図１】この発明の一実施の形態に係るベッド装置を示す一部断面した斜視図。
【図２】ベッド本体の横断面図。
【図３】ベッド本体の除湿ユニットが設けられた箇所の幅方向に沿う縦断面図。
【図４】除湿ユニットの拡大断面図。
【図５】この発明の他の実施の形態を示すベッド装置の一部断面した斜視図。
【図６】図５のベッド装置の幅方向に沿う縦断面図。
【符号の説明】
１…ベッド本体
６…収納空間部
１７…引出し
２６…除湿ユニット
４３…乾燥剤
４４…ヒータ（再生手段）
【図１】
0003978077.tif 000002
【図２】
0003978077.tif 000003
【図３】
0003978077.tif 000004
【図４】
0003978077.tif 000005
【図５】
0003978077.tif 000006
【図６】
0003978077.tif 000007